(57)【要約】【課題】袋本体内に収納される被包装物を、袋本体の外側から止着具を貫通させることによって止着させる合成樹脂製の包装用袋に関し、被包装物を収納する際に、補強片が障害となるおそれがなく、また止着具で止着された部分を起点としてフィルムが引き裂けるようなことがないような包装用袋を提供することを課題とする。【解決手段】袋本体が合成樹脂フィルムで構成されてなるとともに、前記袋本体の上部の外側に、該袋本体を構成する合成樹脂製フィルムより厚手の補強片が設けられ、且つ該補強片は、前記袋本体内に収納される被包装物を前記補強片及び袋本体とともに貫通して止着するための止着具を止着しうる幅を有して形成されてなることを特徴に構成されていることを特徴とする。【選択図】　　図１
2004026241.tif 000002
【特許請求の範囲】
【請求項１】
袋本体（１）　が合成樹脂フィルムで構成されてなるとともに、前記袋本体（１）　の上部の外側に、該袋本体（１）　を構成する合成樹脂製フィルムより厚手の補強片（５）　が設けられ、且つ該補強片（５）　は、前記袋本体（１）　内に収納される被包装物（１１）を前記補強片（５）　及び袋本体（１）　とともに貫通して止着するための止着具（１２）を止着しうる幅を有して形成されてなることを特徴とする包装用袋。
【請求項２】
袋本体（１）　が合成樹脂フィルムで構成されてなるとともに、前記袋本体（１）　の上部に、区画シール部（３）　を介して該袋本体（１）　を構成する合成樹脂製フィルムが延長されて延長片（４）　が形成され、該延長片（４）　の外側に、該延長片（４）　を構成する合成樹脂製フィルムより厚手の補強片（５）　を設けて前記区画シール部（３）　の上部にヘッダー部（６）　が形成され、且つ前記補強片（５）　は、前記区画シール部（３）　の下側に延長され、該延長された延長部（７）　が袋本体（１）　の上部の外側に設けられ、しかも該補強片（５）　の延長部（７）　は、前記袋本体（１）　内に収納される被包装物（１１）を、前記補強片（５）　及び袋本体（１）　とともに貫通して止着するための止着具（１２）を止着しうる幅を有して形成されてなることを特徴とする包装用袋。
【請求項３】
補強片（５）　の両側縁が袋本体（１）　の両側縁とともに熱溶断シールされている請求項１又は２記載の包装用袋。
【発明の詳細な説明】
【０００１】
【発明の属する技術分野】
本発明は包装用袋、さらに詳しくは、袋本体内に収納される被包装物を、袋本体の外側から止着具を貫通させることによって止着させる合成樹脂製の包装用袋に関する。
【０００２】
【従来の技術】
従来、この種の包装用袋としては、実開昭５５−１６４１４６号公報に記載された包装用袋がある。
【０００３】
この包装用袋は、図１３に示すように、合成樹脂製フィルムからなる袋本体１ｃの上部に合成紙からなる補強片５ｃを具備したヘッダー部６ｃが設けられた構成からなり、袋本体１ｃの下部に形成された開口部２ｃから被包装物１１ｃ　を収納し、その被包装物１１ｃ　を袋本体１ｃとともに止着具１２ｃ　で止着して包装するものである。
【０００４】
【発明が解決しようとする課題】
実開昭５５−１６４１４６号公報記載の袋では、止着具１２ｃ　として縫糸が用いられており、被包装物１１ｃ　が袋本体１ｃとともに縫着されるが、縫糸で縫着する作業自体非常に煩雑である。
【０００５】
このような縫着作業を簡易にするには、実開昭５５−１６４１４６号公報の従来技術に開示されているように、袋本体と被包装物とに貫通して金属製等の止着具を止着することが考えられるが、被包装物が収納され且つ止着具で止着される箇所においては、袋本体の少なくとも一片は合成樹脂製フィルムのみで構成されているため、止着具で止着された部分を起点としてフィルムが引き裂けるおそれがある。
【０００６】
また、上記のような包装用袋では、補強片５ｃがヘッダー部６ｃのみならず、被包装物が収納される袋本体１ｃの内部まで延長されて形成されているため、
被包装物を収納する際に、補強片５ｃが障害となる場合がある。
【０００７】
本発明は、上述のような問題点を解決するためになされたもので、被包装物を収納する際に、補強片が障害となるおそれがなく、また止着具で止着された部分を起点としてフィルムが引き裂けるようなことがないような包装用袋を提供することを課題とする。
【０００８】
【課題を解決するための手段】
本発明は、このような課題を解決するためになされたもので、その課題を解決するための手段は、袋本体１が合成樹脂フィルムで構成されてなるとともに、前記袋本体１の上部の外側に、該袋本体１を構成する合成樹脂製フィルムより厚手の補強片５が設けられ、且つ該補強片５は、前記袋本体１内に収納される被包装物１１を前記補強片５及び袋本体１とともに貫通して止着するための止着具１２を止着しうる幅を有して形成されてなることである。
【０００９】
また、より具体的な手段は、袋本体１が合成樹脂フィルムで構成されてなるとともに、前記袋本体１の上部に、区画シール部３を介して該袋本体１を構成する合成樹脂製フィルムが延長されて延長片４が形成され、該延長片４の外側に、該延長片４を構成する合成樹脂製フィルムより厚手の補強片５を設けて前記区画シール部３の上部にヘッダー部６が形成され、且つ前記補強片５は、前記区画シール部３の下側に延長され、該延長された延長部７が袋本体１の上部の外側に設けられ、しかも該補強片５の延長部７は、前記袋本体１内に収納される被包装物１１を、前記補強片５及び袋本体１とともに貫通して止着するための止着具１２を止着しうる幅を有して形成されてなることである。
【００１０】
補強片５は、好ましくはその両側縁が袋本体１の両側縁とともに熱溶断シールされることによって、袋本体１に取り付けられる。
【００１１】
【発明の実施の形態】
以下、本発明の実施形態について図面に従って説明する。
【００１２】
（実施形態１）
図１及び図２において、１は透明な合成樹脂製フィルムからなる袋本体で、該フィルムからなる一片１ａと他片１ｂとが両側部で熱溶断シールされている。この袋本体１の一片１ａと他片１ｂとには、それぞれ印刷が施されている。
【００１３】
袋本体１の下部には開口部２が形成されており、その開口部２における袋本体１の一片１ａと他片１ｂとの端縁は、同一縁上に形成されている。
【００１４】
袋本体１の上部には、超音波シールによって区画シール部３が形成され、該区画シール部３の上部にフィルムが延長され且つ頂部で折り返された延長片４が形成されている。
【００１５】
そして、延長片４の外側には、合成紙からなる補強片５が設けられ、該補強片５と前記延長片４とでヘッダー部６が形成されている。
【００１６】
補強片５は、前記区画シール部３においてフィルムと一体的に超音波溶着されているが、該区画シール部３の下方にさらに延長されて補強片５の延長部７が形成されている。この補強片５の延長部７の両側縁７ａ，７ｂ　は、袋本体１の両側縁８ａ，８ｂ　とともに熱溶断シールされている。
【００１７】
補強片５は、透明な合成紙で構成されており、透明である結果、袋本体１の両片１ａ，１ｂ　に施されてた印刷は、透明な合成紙からなる補強片５を透過して表面に現出されることとなる。
【００１８】
９は、前記ヘッダー部６の略中央に穿設された吊下用孔を示す。
【００１９】
そして、このような構成からなる包装用袋１０で被包装物を包装する場合には、図３に示すように被包装物１１を袋本体１内に収納し、同図のように止着具１２を補強片５の延長部７の両片及び袋本体１の両片１ａ，１ｂ　、並びに被包装物を貫通させて止着する。
【００２０】
この場合において、合成紙からなる補強片５の延長部７が、合成樹脂製フィルムからなる袋本体１の外側に設けられているため、止着具１２を貫通させて止着させている部分を起点としてフィルムの引き裂きが生ずることがなく、従って安定した状態で被包装物を保持して包装することができる。
【００２１】
また、合成紙からなる補強片５の延長部７が、袋本体１の外側に存在するので、被包装物を袋本体１内に収納する際に、補強片が障害となるようなこともない。
【００２２】
本実施形態の包装用袋を製造する場合について説明すると、先ず図４に示すように長尺状合成樹脂製フィルム１４を移送する。
【００２３】
次に、図５に示すように、前記長尺状合成樹脂製フィルム１４上の略中央に、長尺状合成紙１５を移送する。
【００２４】
次に、長尺状合成紙１５の長手方向の略中央部を折曲部１９として、図６に示すように、該長尺状合成紙１５及び前記長尺状合成樹脂製フィルム１４を２つに折り曲げる。
【００２５】
次に、図７に示すように、前記折曲部１９から所定間隔隔てた位置の長手方向に、超音波シールを施して区画シール部３を形成する。これによって、長尺状合成紙１５と長尺状合成樹脂製フィルム１４とがシールされることとなる。
【００２６】
次に、図８に示すように、長尺状合成紙１５上の前記折曲部１９と区画シール部３間の所定位置に、吊下用孔９を穿設する。この吊下用孔９は、長尺状合成紙１５と長尺状合成樹脂製フィルム１４とに貫通して穿設されることとなる。
【００２７】
その後、図９に示すように、折り曲げられた長尺状合成樹脂製フィルム１４及び長尺状合成紙１５の短手方向等間隔毎に熱溶断すると、長尺状合成樹脂製フィルム１４の折り曲げられた両片の両側縁が熱溶断シールされるとともに、長尺状合成紙１５の折り曲げられた両片の両側縁が前記長尺状合成樹脂製フィルム１４とともに熱溶断シールされることとなる。
【００２８】
これによって、図１及び図２に示すような包装用袋１０の製造が完成する。
【００２９】
このような包装用袋１０の袋本体１内に被包装物１１を収納し、止着具１２を補強片５の延長部７の両片及び袋本体１の両片１ａ，１ｂ、並びに被包装物を貫通させて止着することにより、図３に示すように被包装物が包装されることはすでに説明したとおりである。
【００３０】
（実施形態２）
本実施形態の包装用袋１０は、上記実施形態の包装用袋１０と同じ形態のものであるが、下部の開口部２が閉塞されている点で上記実施形態と相違する。
【００３１】
すなわち、本実施形態では、図１０に示すように袋本体１の下端部が熱シールされてシール部１３が形成され、それによって下部の開口部２が閉塞されており、この結果、被包装物１１の脱落がより確実に防止されることとなるのである。
【００３２】
（実施形態３）
本実施形態では、下部の開口部２から袋本体１の一片１ａが他片１ｂより延長されて封緘片１７が形成されており、この点で、開口部２における袋本体１の一片１ａと他片１ｂとの端縁が同一縁上に形成されて封緘片の存在しない実施形態１の場合と相違する。
【００３３】
図１１に示すように、封緘片１６には、接着剤１７を介して離型材１８が設けられており、図１２に示すように、被包装物１１が袋本体１内に収納された後、離型材１８が剥離され、接着剤１７を介して封緘片１６が袋本体１の他片１ｂ側に接着されることによって、被包装物が包装されることとなる。
【００３４】
本実施形態においても、止着具１２で、補強片５の延長部７の両片及び袋本体１の両片１ａ，１ｂ　、並びに被包装物を貫通させて止着させるが、補強片５の延長部７が袋本体１の外側に設けられているため、実施形態１と同様に、止着具１２を貫通させて止着させている部分を起点としてフィルムの引き裂きが生ずることがなく、また、被包装物を袋本体１内に収納する際に、補強片５の延長部７が障害となるようなこともないのである。
【００３５】
（その他の実施形態）
尚、上記実施形態では、超音波シールによって区画シール部３が形成されていたが、区画シール部３を形成する手段はこれに限定されるものではなく、たとえば熱溶着によってシールしてもよい。
【００３６】
また、該実施形態では、補強片５の延長部７の両側縁７ａ，７ｂ　を袋本体１の両側縁に熱溶断シールしたため、補強片５の延長部７の袋本体１への取り付けを、袋の製造するための熱溶断シールと同時に行え、しかも補強片５の延長部７を袋本体１に確実に固定できるという好ましい効果が得られたが、補強片５の延長部７の両側縁７ａ，７ｂ　を袋本体１に取り付ける手段も該実施形態に限定されるものでなく、またこのように熱溶断シールすることは本発明に必須の条件ではない。
【００３７】
さらに、上記実施形態では、合成紙からなる補強片５を、合成樹脂製フィルムからなる延長片４の頂部に熱溶着したため、補強片５を延長片４により確実に固定できるという好ましい効果が得られたが、このように双方の頂部を熱溶着することは本発明に必須の条件ではない。
【００３８】
さらに、上記実施形態では、合成樹脂製フィルムからなる袋本体１の両片１ａ，１ｂ　に印刷を施し、補強片５を透明に形成し、それによって袋本体１に施された印刷を、透明な補強片５を透過させて表面に現出させるようにしたが、これとは逆に、合成樹脂製フィルムからなる透明な袋本体１を印刷のない無地の状態とし、補強片５に印刷を施すことも可能である。
【００３９】
この場合には、印刷された１種類の補強片５に対して、長さの異なる無地の袋本体１を複数枚準備し、別々に製造することができ、印刷用のロールは補強片５用のもの１種類のみを準備すればよいので、長さの異なる数種の袋を製造する場合でも、印刷のための版代が高くつくこともないという効果がある。
【００４０】
これに対して、袋本体１を構成するフィルムに印刷する場合には、袋本体１の長さが異なると、その分寸法の異なる印刷用のロールを別に準備する必要があり、印刷のための版代も高くつくことになる。
ただし、袋本体１を構成するフィルムに施す印刷が定められた模様の場合は、上記無地の場合と同様に１種類の印刷用のロールで印刷したフィルムを切断して長さの異なる数種の袋を製造することができる。
【００４１】
尚、袋本体１に印刷する場合の方が、印刷される部分の面積を大きくとることができ、従って袋本体１側に印刷するか、補強片５側に印刷するかは、被包装物の種類や包装用袋の用途に応じて使い分けるのが望ましい。
【００４２】
さらに、上記実施形態２では、ヘッダー部６に具備される補強片５として合成紙を用いたが、合成紙以外に、たとえば厚手の紙に合成樹脂をコーティングしたものであってもよい。要は、補強片５が袋本体１を構成する合成樹脂製フィルムよりも厚手の素材で構成されていればよいのである。
【００４３】
さらに、上記実施形態では、袋本体１の上部に区画シール部３を介してヘッダー部６を形成したが、ヘッダー部６を形成することは本発明に必須の条件ではない。たとえば袋本体１の上部が折り曲げられ、その折り曲げられた上部の外側に、折り曲げられた補強片５が設けられたような形態の袋も本発明に含まれる。
【００４４】
また、本発明の包装用袋の用途も問わない。
【００４５】
【発明の効果】
以上のように、本発明においては、袋本体が合成樹脂フィルムで構成されてなるとともに、前記袋本体の上部の外側に、該袋本体を構成する合成樹脂製フィルムより厚手の補強片が設けられ、且つ該補強片は、前記袋本体内に収納される被包装物を、前記補強片及び袋本体とともに貫通して止着するための止着具を止着しうる幅を有して形成されてなるものであるため、その補強片及び袋本体に止着具を貫通させて止着することによって、被包装物を袋本体内で固定した状態で好適に包装することができる。
【００４６】
また、止着させている部分を起点としてフィルムの引き裂きが生ずることがなく、従って安定した状態で被包装物を保持して包装することができるという効果がある。
【００４７】
さらに、合成紙からなる補強片が、袋本体の外側に存在するので、被包装物を袋本体内に収納する際に、補強片が障害となるようなこともないという効果がある。
【図面の簡単な説明】
【図１】一実施形態としての包装用袋の正面図。
【図２】図１のＡ−Ａ線断面図。
【図３】被包装物を収納した状態の断面図。
【図４】一実施形態の包装用袋の製造工程を示し、長尺状合成樹脂製フィルムの移送工程の概略平面図。
【図５】長尺状合成樹脂製フィルム上に長尺状合成紙を移送する工程の概略平面図。
【図６】長尺状合成樹脂製フィルムを長尺状合成紙とともに折り曲げる工程の概略平面図。
【図７】区画シール部を形成する工程の概略平面図。
【図８】吊下用孔を形成する工程の概略平面図。
【図９】短手方向に熱溶断シールする工程の概略平面図。
【図１０】他実施形態の包装用袋の断面図。
【図１１】他実施形態の包装用袋の断面図。
【図１２】被包装物を収納した状態の断面図。
【図１３】従来の包装用袋の断面図。
【符号の説明】
１…袋本体　　　　　　　２…開口部
３…区画シール部　　　　４…延長片
５…補強片　　　　　　　６…ヘッダー部
７…延長部
【図１】
2004026241.tif 000003
【図２】
2004026241.tif 000004
【図３】
2004026241.tif 000005
【図４】
2004026241.tif 000006
【図５】
2004026241.tif 000007
【図６】
2004026241.tif 000008
【図７】
2004026241.tif 000009
【図８】
2004026241.tif 000010
【図９】
2004026241.tif 000011
【図１０】
2004026241.tif 000012
【図１１】
2004026241.tif 000013
【図１２】
2004026241.tif 000014
【図１３】
2004026241.tif 000015